(57)【要約】      （修正有）【課題】巻き付けたコードの巻き付け及び取り外しを容易に行うことができるコード巻付け具を提供する。【解決手段】コード巻付け具は、周囲にコードを巻き付ける長辺部２と、長辺部２と短辺部３との間の対向する一対の角部から内側に向かって長辺部２に対して傾斜するように形成された一対の切欠き部とを備え、切欠き部は、短辺部３側に拡がるように開口４０が形成されるとともに開口４０から内側に向かって挿通路４１が次第に幅狭となるように形成されており、挿通路４１は、挿通路４１よりも幅広に形成された収容孔４２に連通している。【選択図】図２
0003154905.tif 000002
【実用新案登録請求の範囲】
【請求項１】
周囲にコードを巻き付ける長辺部と、前記長辺部と短辺部との間の対向する一対の角部から内側に向かって前記長辺部に対して傾斜するように形成された一対の切欠き部とを備え、前記切欠き部は、前記短辺部側に拡がるように開口が形成されるとともに当該開口から内側に向かって挿通路が次第に幅狭となるように形成されており、前記挿通路は、当該挿通路よりも幅広に形成された収容孔に連通していることを特徴とするコード巻付け具。
【請求項２】
前記挿通路は、前記長辺部側の通路面が前記短辺部側に向かって膨出するように湾曲するとともに前記収容孔と連続するように形成されており、前記短辺部側の通路面が前記長辺部側の前記通路面に沿うように湾曲するとともに前記収容孔との間に凸状部が形成されていることを特徴とする請求項１に記載のコード巻付け具。
【請求項３】
前記挿通路の通路面には、両側に曲面状の突起部が対向配置されて形成されており、前記挿通路の両側には、通路面に沿って空隙が形成されていることを特徴とする請求項１又は２に記載のコード巻付け具。
【請求項４】
前記長辺部の対向する一方の辺部には、なだらかに窪んだ一対の凹部が形成されており、他方の辺部には、前記凹部の間が窪むように形成されていることを特徴とする請求項１から３のいずれかに記載のコード巻付け具。
【考案の詳細な説明】
【技術分野】
【０００１】
本考案は、携帯用電子機器の接続コード等のコード類を巻き付けるコード巻付け具に関する。
【背景技術】
【０００２】
携帯用音楽プレイヤー等の携帯用電子機器では、イヤホンやヘッドホンに取り付けられた接続コードを端子に接続して使用するように構成されている場合が多い。音楽プレイヤーは衣服のポケットに入れて身に付けることを想定して接続コードはある程度長く設定されることになるが、接続コードが長い場合に接続コードが垂れ下がった状態になる。そのため、歩行している際に垂れ下がった接続コードが不用意に引っ掛かるおそれがあり、また見栄えもよくない。
【０００３】
こうしたコード類の長さを調整するために、余分なコードを巻き付けておく巻付け具が提案されている。例えば、特許文献１では、任意の太さのケーブルを巻き付けて係止するケーブル巻き付け板において、ケーブルを係止する掛け止め部の形状を開口端部が狭く奥にいくほど幅広となる形状にした点が記載されている。また、特許文献２では、平板状の本体部の長手方向における両端に一対の開口部を形成し、各開口部と外部とを連通させるための切込み部を形成したコード巻取り具が記載されている。
【先行技術文献】
【特許文献】
【０００４】
【特許文献１】実開平５−２９２３８号公報
【特許文献２】特開２００２−２３８１２０号公報
【考案の概要】
【考案が解決しようとする課題】
【０００５】
上述した先行文献では、巻き付けたコードが外れないように開口部を狭くしているが、携帯用電子機器の接続コードのように頻繁に長さを変えたい場合には、接続コードが外れにくくなって操作性の点でデメリットがある。
【０００６】
そこで、本考案は、巻き付けたコードの巻き付け及び取り外しを容易に行うことができるコード巻付け具を提供することを目的とするものである。
【課題を解決するための手段】
【０００７】
本考案に係るコード巻付け具は、周囲にコードを巻き付ける長辺部と、前記長辺部と短辺部との間の対向する一対の角部から内側に向かって前記長辺部に対して傾斜するように形成された一対の切欠き部とを備え、前記切欠き部は、前記短辺部側に拡がるように開口が形成されるとともに当該開口から内側に向かって挿通路が次第に幅狭となるように形成されており、前記挿通路は、当該挿通路よりも幅広に形成された収容孔に連通していることを特徴とする。さらに、前記挿通路は、前記長辺部側の通路面が前記短辺部側に向かって膨出するように湾曲するとともに前記収容孔と連続するように形成されており、前記短辺部側の通路面が前記長辺部側の前記通路面に沿うように湾曲するとともに前記収容孔との間に凸状部が形成されていることを特徴とする。さらに、前記挿通路の両側の前記通路面には、曲面状の突起部が対向配置されて形成されていることを特徴とする。さらに、前記長辺部の対向する一方の辺部には、なだらかに窪んだ一対の凹部が形成されており、他方の辺部には、前記凹部の間が窪むように形成されていることを特徴とする。
【考案の効果】
【０００８】
本考案は、上記の構成を備えることにより、一対の切欠き部が長辺部と短辺部との間の対向する一対の角部から内側に向かって長辺部に対して傾斜するように形成されているので、切欠き部に対してコードを容易に挿入できるようになっている。また、切欠き部の開口が短辺部側に拡がるように形成されているため、コード巻付け具を保持した状態で簡単に切欠き部の開口にコードを挿入することができる。
【０００９】
開口に挿入したコードは挿通路に沿って案内されて収容孔に導入されるが、挿通路が収容孔に向かって幅狭に形成されているため、収容孔にコードを導入する際には容易に操作できるが、コードを収容孔から取り外す際には狭い挿通路にコードを位置合せしなければならず、収容孔から簡単に外れないようになっている。そのため、いったん収容孔に導入されたコードが不用意に外れることを抑止することができる。
【００１０】
また、挿通路の長辺部側の通路面が短辺部側に向かって膨出するように湾曲するとともに収容孔と連続するように形成しておけば、コードを挿入する際に長辺部側の通路面に沿ってコードを移動してスムーズにコードを収容孔に導入させることができる。そして、短辺部側の通路面が長辺部側の通路面に沿うように湾曲するとともに収容孔との間に凸状部が形成されていることで、収容孔に導入されたコードが凸状部分に引っ掛かってコードが不用意に外れることを防止する。
【００１１】
また、長辺部の対向する一方の辺部には、なだらかに窪んだ一対の凹部が形成されており、他方の辺部には、凹部の間が窪むように形成することで、長辺部の凹部に巻き付けたコードが長辺部の両側にずれていくことを抑止することができ、巻き付けたコードが両側にずれて容易に外れないようにすることができる。
【図面の簡単な説明】
【００１２】
【図１】本考案に係るコード巻付け具に関する斜視図である。
【図２】図１の平面図である。
【図３】図２のＡ−Ａ断面図である。
【図４】コード巻付け具にコードを巻き付けた状態に関する平面図である。
【図５】コードをコード巻付け具に巻き付ける手順を示す説明図である。
【図６】図１に示す実施形態の変形例に関する平面図である。
【考案を実施するための形態】
【００１３】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１４】
図１及び図２は、本考案に係るコード巻付け具に関する斜視図及び平面図であり、図３は、図２のＡ−Ａ断面図を示している。
【００１５】
コード巻付け具１は、合成樹脂製の板状体で、平面視略長方形状に形成されており、長手方向に沿う対向する一対の辺部からなる長辺部２及び短手方向に沿う対向する一対の辺部からなる短辺部３を備えている。長辺部２及び短辺部３が交差する４つの角部のうち対角線上に対向する一対の角部には、内側に向かって長辺部２に対して傾斜するように一対の切欠き部４が形成されている。
【００１６】
長辺部２の一方の辺部には、なだらかに窪んだ一対の凹部２０が形成されており、他方の辺部には、凹部２０の間に対向する位置に窪むように凹部２１が形成されている。長辺部２の部分では、図３に示すように、コード巻付け具１の側面２３が膨出するような曲面形状となっており、巻き付けたコードが長辺部２の外周に当接した状態となる形状になっている。
【００１７】
短辺部３には、切欠き部４の開口４０が角部から短辺部３側に拡がるように形成されている。切欠き部４は、開口４０から内側に向かって挿通路４１が次第に幅狭となるように形成されており、挿通路４１は、中央部分に穿設された円形の収容孔４２と連通している。収容孔４２の径は、挿通路４１よりも幅広に設定されている。
【００１８】
挿通路４１は、長辺部２側の通路面４１ａが短辺部３側に向かって膨出するように湾曲するとともに収容孔４２と連続するように形成されており、短辺部３側の通路面４１ｂが長辺部２側の通路面４１ｂに沿うように湾曲するとともに収容孔４２との間に凸状部４１ｃが形成されている。長辺部２側の通路面４１ａを膨出するように湾曲形成することで、通路面４１ａに沿ってコードを案内しながら切欠き部４に導入すれば、スムーズに収容孔４２にコードを収容できる。また、短辺部３側の通路面４１ｂと収容孔４２との間に突出した凸状部４１ｃにより収容孔４２に収容されたコードが収容孔４２から不用意に外れることを防止することができる。
【００１９】
図４は、コード巻付け具１にコードＣを巻き付けた状態に関する平面図である。コードＣは、長辺部２に複数回巻き付けられて凹部２０及び２１に当接した状態となっている。そのため、巻き付けられたコードＣが横ずれして不用意に外れないようにしている。また、一対の収容孔４２にコードＣがそれぞれ収容されて両側に引張られることで、短辺部３にコードＣが係止した状態となってコードＣが外れることなく安定した状態に保持されるようになる。
【００２０】
図５は、コードＣをコード巻付け具１に巻き付ける手順を示す説明図である。まず、コードＣの任意の部分を一方の挿通路４１に沿うように押し当てて挿通路４１内にコードＣを挿入し、挿通路４１から収容孔４２にコードＣを収容する（図５（ａ））。この場合、挿通路４１の長辺部２側の通路面に沿うようにコードＣを案内していけば容易にコードＣを収容孔４２に導入することができる。収容孔４２にコードＣを収容した後コードＣを長手方向に引張ることで短辺部３に係止した状態にする。
【００２１】
コードＣの一方の側を短辺部３に係止した状態でコードＣを長辺部２の外周に沿うように螺旋状に巻き付けていく（図５（ｂ））。そして、適当な長さの分だけコードＣを巻き付けた後、コードＣを他方の挿通路４１に沿うように押し当てて挿通路４１内にコードＣを挿入し、挿通路４１から収容孔４２にコードＣを収容する（図５（ｃ））。この場合にも、挿通路４１の長辺部２側の通路面に沿うようにコードＣを案内していけば容易にコードＣを収容孔４２に導入することができる。収容孔４２にコードＣを収容した後コードＣを長手方向に引張ることで短辺部３に係止した状態にする。
【００２２】
こうしてコードＣを緩みのない状態でコード巻付け具１に簡単に巻き付けることができる。巻き付けたコードＣは、短辺部３に係止した状態となり、挿通路４１の凸状部４１ｃにより収容孔４２からコードＣが不用意に外れることが防止されて安定した状態で保持される。また、巻き付けたコードＣを外す場合には、コードＣを挿通路４１に沿うように位置合せして引き上げることで収容孔４２から簡単に外すことができる。そのため、携帯用電子機器のようにコードの長さ調整を頻繁に行う場合でも、コード巻付け具へのコードの巻付け及び取り外し動作を簡単に行なうことが可能となる。
【００２３】
図６は、図１に示す実施形態の変形例に関する平面図である。この例では、切欠き部の挿通路４１’には、長辺部２側の通路面に曲面状の突起部４３ａが形成され、短辺部３側の通路面に曲面状の突起部４３ｂが形成されており、両突起部４３ａ及び４３ｂは対向するように配置されている。突起部４３ａ及び４３ｂの間の間隔は、狭くなるように設定されており、収容孔４２に収容されたコードが挿通路４１’から不用意に抜け出てしまうことを確実に防止することができる。
【００２４】
また、挿通路４１’の両側には、長辺部２側の通路面に沿って空隙４４ａが形成され、短辺部３側の通路面に沿って空隙４４ｂが形成されている。コード巻付け具１を可撓性を有する合成樹脂材料で作製することで、挿通路４１’にコードが押し込まれた場合に両空隙４４ａ及び４４ｂが圧縮されるように変形して挿通路４１’が押し拡げられるようになる。空隙４４ａ及び４４ｂは、溝状に形成してもよいし、貫通孔で形成することもできる。
【００２５】
突起部４３ａ及び４３ｂの表面形状はなだらかな曲面形状に形成されているので、挿通路４１’を通過させてコードを出し入れする際には、コードを突起部４３ａ及び４３ｂの間に押し込むことで挿通路４１’を押し拡げて容易に通過させることができる。そのため、挿着するコードの太さにバラツキがある場合でもコードの巻付け及び取り外しを容易にかつ確実に行うことが可能となる。
【符号の説明】
【００２６】
１    コード巻付け具
２    長辺部
３    短辺部
４    切欠け部
【図１】
0003154905.tif 000003
【図２】
0003154905.tif 000004
【図３】
0003154905.tif 000005
【図４】
0003154905.tif 000006
【図５】
0003154905.tif 000007
【図６】
0003154905.tif 000008